(57)【要約】【課題】利便性に優れたサービス提供システムを実現する。【解決手段】サービス提供システム（１）は、利用者が有する複数のサービスカード（１００）からサービス識別子（カードＩＤ１１０）を読み取るカードリーダ（２００）と、前記サービス識別子と前記カードリーダのリーダ識別子（機器ＩＤ２２１）とを受信する受信部（依頼内容解析部３２１）と、複数の前記利用者の連絡先と、複数の前記カードリーダのリーダ識別子とを対応付けて記憶し、かつ、複数の前記サービス識別子と、前記複数のサービス事業者とを対応付けて記憶している記憶部（３１０）と、前記カードリーダから受信した前記リーダ識別子に対応する前記利用者の連絡先を、前記カードリーダから受信した前記サービス識別子に対応する前記サービス事業者の事業者サーバ（４００）に送信する送信部（依頼内容転送部３２３）とを備える。【選択図】図２
2020123069.tif 000002
【特許請求の範囲】
【請求項１】
利用者に、複数のサービス事業者のサービスを提供するサービス提供システムであって、
前記利用者に配られるカードリーダであって、利用者が有する複数のサービスカードから、該サービスカードのサービス識別子を読み取るカードリーダと、
管理サーバと、を含み、
前記管理サーバは、
前記カードリーダから、読み取られた前記サービス識別子と前記カードリーダのリーダ識別子とを受信する受信部と、
複数の前記利用者の連絡先と、複数の前記利用者に配られた複数の前記カードリーダのリーダ識別子とを対応付けて記憶し、かつ、複数の前記サービス識別子と、前記複数のサービス事業者とを対応付けて記憶している記憶部と、
前記カードリーダから受信した前記リーダ識別子に対応する前記利用者の連絡先を、前記カードリーダから受信した前記サービス識別子に対応する前記サービス事業者の事業者サーバに送信する送信部とを備えることを特徴とするサービス提供システム。
【請求項２】
前記利用者の連絡先は、前記利用者の電話番号を含むことを特徴とする請求項１に記載のサービス提供システム。
【請求項３】
前記送信部は、前記事業者サーバに、前記利用者の連絡先に電話を掛けるよう通知することを特徴とする請求項２に記載のサービス提供システム。
【請求項４】
前記記憶部は、前記利用者の個人情報を記憶しており、
前記管理サーバは、
前記事業者サーバから事業者通知情報と通知条件とを受信し、かつ、前記通知条件を満たす前記利用者の前記カードリーダに前記事業者通知情報を送信する情報通知部を備え、
前記カードリーダは、前記事業者通知情報を音声出力することを特徴とする請求項１から３のいずれか１項に記載のサービス提供システム。
【請求項５】
前記記憶部は、前記複数のサービス事業者と、前記サービス提供システムを用いてサービスを提供する場合に該複数のサービス事業者が支払う金額に関する情報とを対応付けてさらに記憶していることを特徴とする請求項１から４のいずれか１項に記載のサービス提供システム。
【請求項６】
前記記憶部は、前記サービスカードの前記サービス識別子を読み取った日時、前記事業者サーバが前記管理サーバから前記利用者に対するサービスの提供依頼を受信した日時、前記サービス事業者がサービスを提供した日時、または、サービスの提供の進捗状況に関する情報をさらに記憶していることを特徴とする請求項１から５のいずれか１項に記載のサービス提供システム。
【請求項７】
前記カードリーダは、前記利用者固有の個人カードから利用者識別子を読み取ったタイミングでまたは所定の時刻に、前記管理サーバから受信した個人通知情報を音声出力することを特徴とする請求項１から６のいずれか１項に記載のサービス提供システム。
【発明の詳細な説明】
【技術分野】
【０００１】
本発明は、複数のサービス事業者による複数のサービスを提供するシステムに関する。
【背景技術】
【０００２】
近年、パソコンやスマートフォンといった通信端末の普及が急速に進んでいる。そのため、通信端末を介して種々のサービスを通信端末のユーザに提供する技術が知られている。例えば、特許文献１には被保護者に近距離無線通信機器を所持させることにより、基地局端末を用いて該被保護者の行動を見守ることができる位置情報通知システムが開示されている。また、特許文献２には音声通話の内容およびキャッシュカードやクレジットカード等の識別カードのカード情報の少なくともいずれかを用いて認証し、認証された場合はサービスを提供するサービス提供システムが開示されている。
【先行技術文献】
【特許文献】
【０００３】
【特許文献１】特許第５８９１４６８号公報
【特許文献２】特開２０１７−２１５８０９号公報
【発明の概要】
【発明が解決しようとする課題】
【０００４】
しかしながら、前述のような従来技術はいずれも汎用の情報通信端末（パソコンまたはスマートフォン等）を使用するものであるため、汎用の情報通信端末の操作に不慣れな高齢者等はサービスを十分に利用することができないという問題がある。例えば、特許文献１に記載の発明は、基地局端末（パソコンまたは携帯端末）の操作に習熟していなければ被保護者の行動を見守ることが困難である。
【０００５】
また、一般に複数の事業者のカード（複数のクレジットカード等）を利用する場合、利用者は事業者毎に契約を結ぶ必要がある。
【０００６】
本発明の一態様は、前記の問題に鑑みてなされたものであり、通信端末の操作に不慣れな利用者でも通信端末を用いた場合と同等のサービスを受けることができる、利便性に優れたサービス提供システムを実現することを目的とする。
【課題を解決するための手段】
【０００７】
前記の課題を解決するために、本発明の一態様に係るサービス提供システムは、利用者に、複数のサービス事業者のサービスを提供するサービス提供システムであって、前記利用者に配られるカードリーダであって、利用者が有する複数のサービスカードから、該サービスカードのサービス識別子を読み取るカードリーダと、管理サーバと、を含み、前記管理サーバは、前記カードリーダから、読み取られた前記サービス識別子と前記カードリーダのリーダ識別子とを受信する受信部と、複数の前記利用者の連絡先と、複数の前記利用者に配られた複数の前記カードリーダのリーダ識別子とを対応付けて記憶し、かつ、複数の前記サービス識別子と、前記複数のサービス事業者とを対応付けて記憶している記憶部と、前記カードリーダから受信した前記リーダ識別子に対応する前記利用者の連絡先を、前記カードリーダから受信した前記サービス識別子に対応する前記サービス事業者の事業者サーバに送信する送信部とを備える構成である。
【発明の効果】
【０００８】
本発明の一態様によれば、通信端末の操作に不慣れな高齢者等で対しても通信端末を用いた場合と同等のサービスを受けることができる、利便性に優れたサービス提供システムを実現することができる。
【図面の簡単な説明】
【０００９】
【図１】本発明の実施形態１に係るサービス提供システムの要部構成の一例を示すブロック図である。
【図２】本発明の実施形態１に係るサービス提供システムの概要を示す模式図である。
【図３】本発明の実施形態１に係るカードリーダおよびサービスカードの外観の一例を示す模式図である。
【図４】本発明の実施形態１に係る管理サーバにおいて記憶部に格納されている利用者情報、サービス事業者情報、およびサービス履歴情報の構成例を示す模式図である。
【図５】本発明の実施形態１に係るサービス提供システムを用いて利用者がサービスの提供を受ける流れの一例を示すシーケンス図である。
【発明を実施するための形態】
【００１０】
〔実施形態１〕
以下、本発明の一実施形態について、図１〜図５を用いて詳細に説明する。
【００１１】
（サービス提供システムの概要）
本実施形態に係るサービス提供システム１の概要について、図２を用いて説明する。図２は、サービス提供システム１の概要を示す模式図である。
【００１２】
サービス提供システム１は、複数のサービス事業者のそれぞれが提供する種々のサービスを、事前に配られたカードリーダ２００および複数のサービスカード１００を用いて利用者が利用できるシステムである。利用者は、管理サーバ３００を運用する運用会社（システム事業者）に自身の個人情報等を登録することによって、サービス提供システム１の利用を開始することができる。同様に、個々のサービス事業者は、管理サーバ３００に自身が運用する事業者サーバ４００の連絡先等の情報を登録することによって、サービス提供システム１を用いたサービスの提供を開始することができる。管理サーバ３００の運用会社は、サービス提供システム１の利用を所望する利用者へ、複数のサービス事業者のそれぞれに対応する複数のサービスカード１００と、複数のサービスカード１００の内容を読み取り可能なカードリーダ２００とを配る。なお、カードリーダ２００は管理サーバ３００の運用会社が接続先等の情報を予め設定した状態で利用者に配られる。そのため、利用者はカードリーダ２００を受領した後、通信環境等の設定を行うことなくサービス提供システム１の利用を開始することができる。カードリーダ２００はシステム事業者が契約した携帯電話通信網を利用可能な状態で配布され、利用者はサービス提供システム１を利用するにあたり、別途通信事業者やインターネットサービスプロバイダと契約を結ぶ必要がない。
【００１３】
利用者は、サービス提供システム１を利用することによって、自身が提供を所望するサービスに応じたサービス事業者からサービスの提供を受けることができる。より具体的には、利用者はサービスの提供を所望するサービス事業者に対応するサービスカード１００の内容をカードリーダ２００に読み取らせることで、管理サーバ３００へサービスの提供依頼を送信することができる。
【００１４】
管理サーバ３００は、サービス提供システム１を提供する運用会社によって管理されるサーバである。管理サーバ３００は、カードリーダ２００からサービスの提供依頼を受信すると、該提供依頼の内容から、カードリーダ２００が読み取ったサービスカード１００に対応するサービス事業者を特定する。そして、管理サーバ３００は特定したサービス事業者が有する事業者サーバ４００へ依頼内容を転送する。このとき、管理サーバ３００は依頼内容とともに、自身に登録済みである、依頼元の利用者の連絡先を含む個人情報を事業者サーバ４００へ送信する。
【００１５】
サービス事業者は、種々のサービスを提供する事業を行っている。サービス事業者が提供するサービスはどのようなものであってもよく、例えば物品の購入、診察の予約、タクシーの手配等のサービスがサービス事業者によって提供されてもよい。個々のサービス事業者は、事業者サーバ４００をそれぞれ運用しており、管理サーバ３００を介して利用者のカードリーダ２００から送信されたサービスの提供依頼を事業者サーバ４００にて受け付けることができる。サービス事業者は、管理サーバ３００から事業者サーバ４００へ依頼内容および利用者の連絡先の情報が転送されると、依頼元である利用者へ連絡を行う。連絡手段は特に限定されないが、連絡先の情報が例えば電話番号であった場合、サービス事業者は電話で利用者へ連絡を行う。サービス事業者は利用者へ連絡を行うとともに、提供するサービスの具体的な内容や料金等について説明を行ってもよい。
【００１６】
なお、サービス事業者はサービス提供システム１による利用者へのサービスの提供を開始する際、システム事業者に対して事業者サーバ４００の連絡先（例えばメールアドレス）等の情報を登録する必要がある。事前に登録する情報の例としては、サービス事業者がサービス提供システム１によるサービスの提供を行う際、システム事業者に支払う金額がある。サービス事業者は、例えばサービス提供システム１を用いて利用者にサービスを提供した件数に応じた金額をシステム事業者に支払う契約を結ぶ。システム事業者に支払う金額は、例えば管理サーバ３００にて管理され、状況に応じて適宜更新されてもよい。
【００１７】
利用者は、サービス事業者から連絡を受けると、該サービス事業者からサービスの具体的な内容等について説明を受けた後、実際にサービスを受けるか否かの最終的な意思決定を行い、該サービス事業者に通知する。サービス事業者は利用者から最終的な意思決定が通知されると、その結果について事業者サーバ４００を用いて管理サーバ３００へ送信する。管理サーバ３００は、事業者サーバ４００から受信した結果について、サービスの提供に関する履歴情報として蓄積する。
【００１８】
このようにして、サービス提供システム１は、カードリーダ２００にサービスカード１００の内容を読み取らせることによって、サービス事業者から利用者に連絡を行わせてサービスを提供させることができる。カードリーダ２００の操作はパソコンやスマートフォンといった汎用の情報通信端末の操作と比較して直感的かつ簡便であるため、汎用の情報通信端末に不慣れな高齢者等であっても汎用の情報通信端末を用いた場合と同等のサービスの提供を受けることができる。また、管理サーバ３００が利用者の連絡先の情報を事業者サーバ４００へ送信するので、従来技術とは異なり、利用者が個々のサービス事業者に対して予め個別に契約（連絡先の登録を含む）を行う必要がない。
【００１９】
（カードリーダおよびサービスカードの外観）
本実施形態に係るカードリーダ２００およびサービスカード１００について、図３を用いて説明する。図３は、カードリーダ２００およびサービスカード１００の外観の一例を示す模式図である。
【００２０】
サービスカード１００は、サービス事業者ごとに発行された、カードリーダ２００で読取可能な内容が記憶されたカードである。サービスカード１００は、カードリーダ２００で内容が読取可能であればどのような方式のカードであってもよく、例えばＦｅｌｉＣａ（登録商標）方式に対応した非接触通信のＩＣカードであってもよい。
【００２１】
カードリーダ２００は、サービスカード１００を設置する領域が筐体に形成されており、該筐体の一部には操作ボタン２１０が押下可能に設けられている。カードリーダ２００は、音声で案内するスピーカ２４０を備える。利用者は、サービスの提供を所望するサービス事業者に対応するサービスカード１００をカードリーダ２００に設置して操作ボタン２１０を押下する。カードリーダ２００は、操作ボタン２１０が押下されると、筐体に設置されているサービスカード１００の内容を読み取り、該内容に対応するサービス事業者に対するサービス提供依頼を管理サーバ３００へ送信することができる。
【００２２】
カードリーダ２００は、サービスカード１００の内容の読み込み状況や管理サーバ３００との間の通信状況等について、文字や映像で案内するディスプレイ、および／または発光で案内するＬＥＤライト等をさらに備えてもよい。
【００２３】
（サービス提供システムの構成）
本実施形態に係るサービス提供システム１の構成について、図１を用いて説明する。図１は、サービス提供システム１の要部構成の一例を示すブロック図である。
【００２４】
サービス提供システム１は、利用者がサービスカード１００およびカードリーダ２００を用いることによって、事業者サーバ４００を運用する、種々のサービスを提供するサービス事業者からサービスの提供を受けることができるシステムである。サービス提供システム１は、サービスカード１００、カードリーダ２００、管理サーバ３００、および複数のサービス事業者に対応する複数の事業者サーバ４００を備えている。
【００２５】
サービスカード１００は、サービス提供システム１によるサービスの提供を行っているサービス事業者に対応付けられた、カードリーダ２００で内部の情報を読み取り可能なカードである。サービスカード１００は、自身に対応付けられたサービス事業者を一意に識別するためのサービス識別子であるカードＩＤ１１０を備えている。すなわち、本実施形態において、サービス提供システム１で使用することができる複数のサービスカード１００はいずれもカードＩＤ１１０を備える、共通のフォーマットが適用されたカードである。サービス事業者毎にカードＩＤ１１０は異なる。
【００２６】
カードリーダ２００は、サービスカード１００のカードＩＤ１１０を読み取って、該カードＩＤに対応するサービス事業者へのサービス提供依頼を管理サーバ３００へ送信する。カードリーダ２００は、操作ボタン２１０、記憶部２２０、および制御部２３０を備えている。制御部２３０は、カード読取部２３１、サービス依頼部２３３、および出力制御部２３５を備えている。
【００２７】
操作ボタン２１０は、カードリーダ２００の筐体に設けられたボタンである。操作ボタン２１０は、利用者が意図的に操作可能な構成であればどのようなものであってもよい。操作ボタン２１０は、例えばレバーであってもよい。
【００２８】
記憶部２２０は、カードリーダ２００にて扱う各種情報を格納している。記憶部２２０は機器ＩＤ２２１を格納している。記憶部２２０は、例えば接続先である管理サーバ３００に関する情報を格納してもよい。機器ＩＤ２２１は、カードリーダ２００を一意に識別するためのリーダ識別子である。機器ＩＤにより、カードリーダ２００を使用する利用者を特定することができる。
【００２９】
制御部２３０は、カードリーダ２００の各部を統括して制御する。制御部２３０は、操作ボタン２１０が押下されたことを検知すると、カード読取部２３１にサービスカード１００のカードＩＤ１１０を読み取るよう指示を行う。制御部２３０は、カード読取部２３１がカードＩＤ１１０の読み取りに成功すると、サービス依頼部２３３にサービスの提供依頼を管理サーバ３００へ送信するよう指示する。
【００３０】
カード読取部２３１は、制御部２３０からの指示にしたがって、カードリーダ２００に設置されたサービスカード１００からカードＩＤ１１０を取得する。カード読取部２３１は、取得した結果を制御部２３０に通知する。
【００３１】
サービス依頼部２３３は、制御部２３０からの指示にしたがって、カード読取部２３１がサービスカード１００から読み取ったカードＩＤ１１０を機器ＩＤ２２１とともに管理サーバ３００へ送信し、サービスの提供依頼を行う。サービス依頼部２３３は、送信を行った日時について、例えば図示しないタイマを用いて取得し、カードＩＤ１１０や機器ＩＤ２２１とともに送信してもよい。
【００３２】
出力制御部２３５は、スピーカ２４０の音声出力を制御する。
【００３３】
管理サーバ３００は、サービス提供システム１を運用する運用会社が管理するサーバである。管理サーバ３００は、記憶部３１０および制御部３２０を備えている。記憶部３１０は、利用者情報３１１、サービス事業者情報３１３、およびサービス履歴情報３１５を格納している。制御部３２０は依頼内容解析部３２１、依頼内容転送部３２３、履歴登録部３２５、および情報通知部３２７を備えている。
【００３４】
記憶部３１０は、管理サーバ３００にて扱う各種情報を格納している。利用者情報３１１は、利用者がサービス提供システム１の利用を申し込んだ際に該サービス提供システム１の運用会社に登録した、利用者の個人情報を含む、該利用者に関する情報である。記憶部３１０には、利用者情報３１１として、複数の利用者の連絡先と、複数の利用者に配られた複数のカードリーダ２００の機器ＩＤ２２１とが対応付けて記憶されている。サービス事業者情報３１３は、サービス提供システム１によるサービスの提供を行っているサービス事業者に関する情報である。記憶部３１０には、サービス事業者情報３１３として、複数のカードＩＤ１１０と、複数のサービス事業者とを対応付けて記憶されている。サービス履歴情報３１５は、カードリーダ２００から管理サーバ３００が受信したサービスの提供依頼に基づいた、サービス提供システム１におけるサービスの提供に関する履歴情報である。利用者情報３１１、サービス事業者情報３１３、およびサービス履歴情報３１５の具体例については、図４を用いて後述する。
【００３５】
制御部３２０は、管理サーバ３００の各部を統括して制御する。制御部３２０は、管理サーバ３００が送受信したデータの内容に応じて履歴登録部３２５に、送受信に関する履歴をサービス履歴情報３１５に登録するよう指示する。
【００３６】
依頼内容解析部３２１は、カードリーダ２００からサービスの提供依頼を受信すると、受信したデータを解析することができる。より具体的には、依頼内容解析部３２１はカードリーダ２００から受信したデータの中から、カードＩＤ１１０および機器ＩＤ２２１を解析によって抽出する。すなわち、依頼内容解析部３２１はカードリーダ２００から、該カードリーダ２００によってサービスカード１００から読み取られたカードＩＤ１１０と機器ＩＤ２２１とを受信する受信部として機能する。依頼内容解析部３２１は、カードリーダ２００から受信したデータの中に該データの送信日時を示す情報があれば、一緒に抽出してもよい。
【００３７】
依頼内容転送部３２３は、依頼内容解析部３２１による解析結果に基づいて、利用者がサービスの提供を所望した相手であるサービス事業者に対応する事業者サーバ４００へ、依頼内容を転送する。より具体的には、依頼内容転送部３２３は依頼内容解析部３２１が抽出したカードＩＤ１１０に対応するサービス事業者をサービス事業者情報３１３から特定する。依頼内容転送部３２３はさらに、機器ＩＤ２２１に対応するカードリーダ２００の配布先である利用者を利用者情報３１１から特定する。そして、依頼内容転送部３２３は、特定したサービス事業者の事業者サーバ４００へ、特定した利用者の連絡先に関する情報を送信する。すなわち、カードリーダ２００から受信した機器ＩＤ２２１に対応する利用者の連絡先を、ともに受信したカードＩＤ１１０に対応するサービス事業者の事業者サーバ４００に送信する送信部として機能する。このとき、依頼内容転送部３２３は、事業者サーバ４００に利用者の連絡先に電話を掛けるよう通知してもよい。依頼内容転送部３２３は、送信日時を図示しないタイマを用いて取得し、前述の情報とともに事業者サーバ４００へ送信してもよい。
【００３８】
履歴登録部３２５は、制御部３２０の指示にしたがって、サービスの提供に関する処理が実行された日時や実行結果等の情報をサービス履歴情報３１５へ登録する。
【００３９】
事業者サーバ４００は、依頼に応じて利用者へサービスを提供するサービス事業者が有するサーバである。事業者サーバ４００は制御部４１０を備えており、制御部４１０は、依頼提示部４１１および結果通知部４１３を備えている。なお、図示の例では３つの事業者サーバ４００が示されているが、事業者サーバ４００の数はこれに限定されない。また、事業者サーバ４００は、サービス提供システム１においてサービスを提供するための構成以外に、別の形態でサービスを提供する構成を備えていてもよい。例えば、事業者サーバ４００は、パソコンやスマートフォン等の汎用の情報通信端末に対してインターネットを用いたＷｅｂ予約を受け付けるための画面等を提供する、Ｗｅｂサーバとして動作するための構成をさらに備えてもよい。
【００４０】
制御部４１０は、事業者サーバ４００の各部を統括して制御する。制御部４１０は、管理サーバからサービスの提供依頼を受信すると、依頼提示部４１１に該提供依頼を受け付けるよう指示する。また、制御部４１０は、図示しない入力部によってサービス事業者から情報の入力を受け付けてもよく、図示しない表示部によって情報の出力を行ってもよい。例えば、制御部４１０はサービス事業者が利用者に対してサービスの提供の申し出を行い、該利用者が実際にサービスを受けることに同意したか否かに関する情報（同意の有無や申し出を行った日時等）の入力をサービス事業者から受け付けて、該情報を結果通知部４１３に提供してもよい。
【００４１】
依頼提示部４１１は、制御部４１０の指示にしたがって、管理サーバ３００から受信したサービスの提供依頼をサービス事業者に提示する。より具体的には、依頼提示部４１１は、サービスの提供依頼を新たに受け付けたこと、および該提供依頼に含まれる、依頼元である利用者の連絡先に関する情報について、サービス事業者が把握可能な方法で提示する。提示の手段は、映像や音声によるものであってもよく、サービス事業者が携帯するスマートフォン等の携帯端末に対してメール等の手段によるものであってもよい。サービス事業者は、依頼提示部４１１が提示した内容からサービスの提供を所望する利用者の存在を把握し、該利用者に対して連絡およびサービスの提供を行うことができる。依頼提示部４１１は、管理サーバ３００からサービスの提供依頼を受け付けると、受け付けが完了した旨を図示しないタイマを用いて取得した日時とともに該管理サーバ３００へ返送してもよい。
【００４２】
サービス事業者はサービスの提供依頼に基づいて利用者へサービスの提供の申し出を行い、サービスの提供の進捗状況を事業者サーバ４００に入力する。結果通知部４１３は、サービスの提供の進捗状況を示すサービス提供結果（受付済、提供中、完了、または未成立）を管理サーバ３００へ通知する。結果通知部４１３は、サービス事業者が利用者に対して実際にサービスを提供した日時の情報を、提供結果とともに管理サーバ３００へ通知してもよい。
【００４３】
（管理サーバにて管理する情報の構成例）
本実施形態に係る管理サーバ３００にて管理する情報の構成例について、図４を用いて説明する。図４は、管理サーバ３００において記憶部３１０に格納されている利用者情報３１１、サービス事業者情報３１３、およびサービス履歴情報３１５の構成例を示す模式図である。なお、図４はあくまでも一例であって、利用者情報３１１、サービス事業者情報３１３、およびサービス履歴情報３１５はどのような構成であってもよい。
【００４４】
図示の例において利用者情報３１１は、「利用者ＩＤ」、「個人情報」、および「機器ＩＤ」の３つの項目を備えており、「個人情報」はさらに「名前」、「電話番号」、「年齢」、「性別」、「住所」、および「地域」という６項目に細分化される。「利用者ＩＤ」は、管理サーバ３００を運用する運用会社がカードリーダ２００を配った相手、すなわちサービス提供システム１の利用者を一意に識別するための識別子である。「個人情報」には利用者の個人的な情報が設定されており、「名前」は利用者の氏名、「電話番号」は利用者の電話番号、「年齢」は利用者の現在の年齢、「性別」は利用者の性別、「住所」は利用者の現在の住所がそれぞれ設定される。「地域」には、地方（例えば、関東、近畿等）、県名、市区町村、町名、および／または丁目等を識別可能な地域識別子が設定される。「機器ＩＤ」は利用者に配ったカードリーダ２００を一意に識別するための識別子である。すなわち、図示の例において「利用者ＩＤ」の値と「機器ＩＤ」の値とは１対１対応となっている。
【００４５】
管理サーバ３００において、利用者情報３１１は、例えば依頼内容転送部３２３が事業者サーバ４００に利用者に関する情報を送信する際に参照される。より具体的には、依頼内容解析部３２１がサービスの提供依頼から抽出した機器ＩＤ２２１と、「機器ＩＤ」の値が一致するレコードが存在するか否かを依頼内容転送部３２３が判定する。対象のレコードが存在する場合、依頼内容転送部３２３は該レコードの「個人情報」の値を事業者サーバ４００へ送信すべき、利用者に関する情報として設定する。サービス事業者は、事業者サーバ４００が利用者に関する情報として「個人情報」の値を受信すると、例えば「電話番号」に設定されている電話番号に電話を掛けることにより、利用者に対してサービスの提供を申し出ることができる。なお、利用者の連絡先として、利用者の電話番号が用いられてもよく、住所やメールアドレス等の他の情報が用いられてもよい。
【００４６】
サービス事業者情報３１３は、「サービス事業者ＩＤ」、「サービス事業者名」、「サービス通知先」、「カードＩＤ」、および「課金データ」の５つの項目を備えている。「サービス事業者ＩＤ」は、サービス提供システム１においてサービス事業者を一意に識別するための識別子である。「サービス事業者名」はサービス事業者の名称である。「サービス通知先」は、サービス事業者に対して管理サーバ３００の依頼内容転送部３２３がサービスの提供依頼を転送する転送先（図示の例ではメールアドレス）である。「カードＩＤ」は、「サービス事業者ＩＤ」で指定されたサービス事業者に対応するサービスカード１００のカードＩＤ１１０と同一の値が設定される。すなわち、図示の例において「サービス事業者ＩＤ」の値と「カードＩＤ」の値とは１対１対応となっている。「課金データ」には、「サービス事業者ＩＤ」で指定されたサービス事業者がサービス提供システム１を用いたサービスの提供を行うにあたって管理サーバ３００の運用会社に対して支払う料金体系が設定される。料金体系としては、サービスの提供が成立した件数に応じた従量制であってもよく、定額制等の他の内容が設定されてもよい。すなわち、記憶部３１０はサービス事業者情報３１３として、複数のサービス事業者と、サービス提供システム１を用いてサービスを提供する場合に該複数のサービス事業者が支払う金額に関する情報とを対応付けて記憶している。例えば管理サーバ３００は「課金データ」およびサービス履歴情報３１５の内容を図示しない表示部に表示させる。システム事業者は、表示された該内容に基づいてサービス事業者ごとにサービス提供システム１の利用金額を算出し、各サービス事業者に対して請求することができる。
【００４７】
管理サーバ３００において、サービス事業者情報３１３は、例えば依頼内容転送部３２３が事業者サーバ４００に依頼内容を転送する際に参照される。より具体的には、依頼内容解析部３２１がサービスの提供依頼から抽出したカードＩＤ１１０と、「カードＩＤ」の値が一致するレコードが存在するか否かを依頼内容転送部３２３が判定する。対象のレコードが存在する場合、依頼内容転送部３２３は該レコードの「サービス通知先」の値を、提供依頼を行った利用者がサービスの提供を所望するサービス事業者の連絡先として設定する。依頼内容転送部３２３は、サービス事業者の連絡先として設定した転送先にメール等の方法でサービスの提供依頼を転送することにより、該サービス事業者から利用者に対してサービスの提供を申し出させることができる。
【００４８】
サービス履歴情報３１５は、「サービス管理番号」、「サービス事業者ＩＤ」、「利用者ＩＤ」、「カード読込時刻」、「サービス連絡時刻」、「サービス受付時刻」、「サービス提供時刻」、および「サービス結果」を備えている。「サービス管理番号」は、管理サーバ３００がカードリーダ２００から受信したサービスの提供依頼に関する履歴を一意に識別する識別子である。「サービス事業者ＩＤ」は、サービス事業者情報３１３の同名の項目と同様の値が設定される。「利用者ＩＤ」は、利用者情報３１１の同名の項目と同様の値が設定される。「カード読込時刻」は、カードリーダ２００においてサービスカード１００のカードＩＤ１１０を読み取った日時が設定される。「サービス連絡時刻」は、管理サーバ３００がカードリーダ２００からサービスの提供依頼を受信した日時が設定される。「サービス受付時刻」は、事業者サーバ４００が管理サーバ３００からサービスの提供依頼を受信した日時が設定される。「サービス提供時刻」は、サービス事業者が利用者に連絡し、サービスの提供を申し出た日時が設定される。すなわち、サービス履歴情報３１５にはカードリーダ２００がカードＩＤ１１０を読み取ってからサービス事業者が利用者にサービスを提供するまでの間に、カードリーダ２００、管理サーバ３００、および事業者サーバ４００の少なくともいずれかにおいて何らかの処理を行った時刻の履歴に関する情報を記憶されている。「サービス結果」は、サービスの提供の進捗状況を示すサービス提供結果が設定される。
【００４９】
サービス履歴情報３１５には、サービス提供システム１においてカードリーダ２００、管理サーバ３００、および事業者サーバ４００のいずれかで実行された処理の履歴が、管理サーバ３００に集約して蓄積されている。
【００５０】
まず、カードリーダ２００から管理サーバ３００に対してサービスの提供依頼がサービスカード１００のカードＩＤ１１０を読み取った日時とともに送信される。管理サーバ３００は、新たな提供依頼を受信すると、該提供依頼に対して新たなサービス管理番号を設定する。履歴登録部３２５は受信した提供依頼から特定された、依頼の送信元であるカードリーダ２００を有する利用者の利用者ＩＤと、カードＩＤ１１０に対応するサービス事業者ＩＤを、カードＩＤ１１０を読み取った日時とともにサービス履歴情報３１５に新たなレコードとして追加する。すなわち、この時点では、「サービス管理番号」、「サービス事業者ＩＤ」、「利用者ＩＤ」、および「カード読込時刻」には値が設定されているが、「サービス連絡時刻」、「サービス受付時刻」、「サービス提供時刻」、および「サービス結果」には値が未設定である。
【００５１】
次に、依頼内容転送部３２３が事業者サーバ４００へサービスの提供依頼を転送すると、履歴登録部３２５は値が未設定である「サービス連絡時刻」に、提供依頼を転送した日時を設定する。その後、事業者サーバ４００から提供依頼を受け付けたことを示す通知を管理サーバ３００が受信すると、履歴登録部３２５は該通知に含まれる、事業者サーバ４００が提供依頼を受信した日時を値が未設定である「サービス受付時刻」に設定する。
【００５２】
その後、サービス事業者から利用者に連絡およびサービスの提供の申し出が行われ、サービス事業者は申し出の結果等について、事業者サーバ４００を用いて管理サーバ３００へ通知する。履歴登録部３２５は該通知に含まれる、サービスの提供を申し出た日時、および利用者が最終的にサービスの提供に同意したか否かに基づいたサービス提供の進捗状況を、「サービス提供時刻」、および「サービス結果」にそれぞれ設定する。
【００５３】
このようにして、履歴登録部３２５は、サービス提供システム１における処理の履歴をサービス履歴情報３１５に集約して蓄積することができる。
【００５４】
（処理の流れ）
本実施形態に係るサービス提供システム１における処理の流れについて、図５を用いて説明する。図５は、サービス提供システム１における処理の流れの一例を示すシーケンス図である。
【００５５】
まず、利用者はサービスの提供を所望するサービス事業者に対応したサービスカード１００をカードリーダ２００に設置して操作ボタン２１０を押下する。カードリーダ２００はサービスカード１００のカードＩＤ１１０を読み取って、自身の機器ＩＤ２２１、読み取ったカードＩＤ１１０、およびカードＩＤを読み取った時刻を含むデータを管理サーバ３００へ送信する（Ｓ１：サービス提供依頼）。
【００５６】
管理サーバ３００は、カードリーダ２００からサービスの提供依頼を受信すると、該提供依頼に対して新たなサービス管理番号を設定し、さらに依頼内容解析部３２１を用いて依頼内容を解析する（Ｓ２：依頼内容解析）。その後、管理サーバ３００は依頼内容転送部３２３を用いて利用者の個人情報と、サービス事業者の事業者サーバ４００の連絡先とを特定する。そして、管理サーバ３００はＳ２で設定したサービス管理番号を、先ほど特定した利用者の個人情報、提供依頼を転送する日時とともに、先ほど特定したサービス事業者の事業者サーバ４００の連絡先へ送信する（Ｓ３：依頼内容転送）。このとき、管理サーバ３００では提供依頼の転送に関する履歴を、履歴登録部３２５を用いてサービス履歴情報３１５に追加登録する。また、管理サーバ３００は、提供依頼の転送が完了すると、転送が完了した旨をカードリーダ２００へ通知する（Ｓ４：転送通知）。カードリーダ２００では、通知に基づいて利用者にサービスの提供依頼が事業者サーバ４００へ転送されたことについて、音声等によって通知する。
【００５７】
サービス事業者側では、管理サーバ３００から転送されたサービスの提供依頼を事業者サーバ４００が受信すると、事業者サーバ４００は依頼内容をサービス事業者に通知する（Ｓ５：依頼受付）。その後、事業者サーバ４００はサービスの提供依頼を受け付けた日時をＳ３で管理サーバ３００から送信されたサービス管理番号とともに、管理サーバ３００へ通知する（Ｓ６：受付通知）。
【００５８】
管理サーバ３００は、事業者サーバ４００からサービスの提供依頼を受け付けた旨の通知を受けると、カードリーダ２００へサービスの提供依頼が事業者サーバ４００に受け付けられた旨を、Ｓ６で事業者サーバ４００から送信された日時の情報とともに通知する（Ｓ７：受付完了通知）。カードリーダ２００では、通知に基づいて利用者にサービスの提供依頼が事業者サーバ４００へ転送されたことについて、音声等によって通知する。
【００５９】
Ｓ６およびＳ７の後、サービス事業者はＳ３において事業者サーバ４００が管理サーバ３００から受信した利用者の個人情報を用いて、該利用者に電話等の手段によって連絡を取り、サービスの提供を申し出る（Ｓ８：サービス提供）。なお、サービス事業者はＳ７の処理が完了したことを検知できないので、Ｓ８の処理はＳ７の処理の前に実施される可能性があるが、問題ない。
【００６０】
利用者は、Ｓ８の処理によってサービス事業者からサービスの提供の申し出を受けると、サービスの詳細な説明等を受けた後、実際にサービスを利用するか否かの意思を該サービス事業者に通知する（Ｓ９：サービス利用有無通知）。
【００６１】
サービス事業者は、Ｓ９の処理によって利用者からサービスの利用有無について通知を受けると、Ｓ３で管理サーバ３００から該利用者の個人情報とともに受信したサービス管理番号を、サービスの提供の申し出を行った日時（サービス提供時刻）およびサービスの提供の進捗状況（サービス結果）とともに管理サーバ３００へ、事業者サーバ４００を用いて送信する（Ｓ１０：サービス提供結果通知）。なお、Ｓ９において利用者がサービスを利用する旨をサービス事業者に通知していた場合、Ｓ１０の処理はサービス事業者が利用者にサービスを提供した後に行われてもよい。このとき、サービス提供時刻は実際にサービスを提供した日時であってもよい。そして、管理サーバ３００では事業者サーバ４００から受信した情報について、履歴登録部３２５を用いてサービス履歴情報３１５に追加登録する。
【００６２】
以上の処理によって、本実施形態に係るサービス提供システム１は利用者が複数のサービスカード１００から選択した特定のサービスカード１００のカードＩＤ１１０をカードリーダ２００に読み取らせると、カードＩＤ１１０に対応するサービス事業者の事業者サーバ４００に該利用者の連絡先が送信される。これにより、利用者は特定のサービスカード１００のカードＩＤ１１０に対応するサービス事業者から連絡を受け、該サービス事業者からサービスの提供を受けることができる。これにより、例えばパソコンやスマートフォンのような汎用の情報通信端末を用いてサービスの提供を所望するサービス事業者を選択する場合と比較して、選択したサービスカード１００をカードリーダ２００に読み取らせるだけでサービス事業者からサービスを受けることができる。
【００６３】
また、管理サーバ３００にて利用者およびサービス事業者の連絡先を一元管理しているため、利用者は個々のサービス事業者と個別に契約する必要がない。そのため、利用者は新たに入手したサービスカード１００をカードリーダ２００に読み込ませるだけで、対応するサービス事業者から新たにサービスを受けることができる。
【００６４】
そして、サービス事業者はサービス提供システム１に参加するには、管理サーバ３００に連絡先を登録する必要がある。そのため、例えば管理サーバ３００の運用会社はサービス提供システム１に参加するサービス事業者を選定することによって利用者が安心してシステムを利用できる環境を整え、該システムのブランドイメージを向上させることができる。したがって、情報通信端末の操作に不慣れな人であっても、サービス事業者から情報通信端末を用いた場合と同等のサービスの提供を受けることができる、利便性に優れたサービス提供システムを実現することができる。
【００６５】
〔変形例〕
管理サーバ３００の運用会社は、サービス履歴情報３１５に蓄積されている履歴情報に基づいてサービス事業者が管理サーバ３００の運用会社に対して支払う料金体系の改定を行ってもよい。例えば、サービスの提供依頼の件数に対して実際にサービスを提供した件数の割合が高ければ、利用者がサービス提供システム１を用いたサービスの提供に満足している判断し、料金を引き下げる根拠としてもよい。
【００６６】
また、管理サーバ３００はサービス履歴情報３１５に蓄積されている履歴情報を解析して、利用者ごとに利用するサービスの傾向を分析してもよい。分析結果に基づいて、例えば管理サーバ３００の運用会社は利用者の傾向に応じて新たなサービス事業者に対応する新たなサービスカード１００を送付してもよい。
【００６７】
（事業者通知情報）
事業者サーバ４００の制御部４１０は、任意のタイミングで、特定の利用者を示す通知条件と、特定の利用者に通知したい事業者通知情報とを管理サーバ３００に送信してもよい。例えば、通知条件は、特定の地域、特定の年齢、および／または特定の性別等の条件を含んでもよい。例えば、事業者通知情報は、事業者の商品の紹介であってもよい。
【００６８】
管理サーバ３００の情報通知部３２７は、事業者サーバ４００から、事業者通知情報と通知条件とを受信する。情報通知部３２７は、記憶部３１０に記憶されている利用者情報３１１を参照し、各利用者の個人情報（住所、年齢、および性別等）が通知条件を満たしているかを判断する。情報通知部３２７は、通知条件を満たしている利用者のカードリーダ２００に、事業者通知情報を送信する。
【００６９】
カードリーダ２００の出力制御部２３５は、管理サーバ３００から事業者通知情報を受信する。出力制御部２３５は、事業者通知情報をスピーカ２４０から音声出力させる。なお、事業者通知情報は、音声データであっても、テキストデータであってもよい。事業者通知情報がテキストデータである場合、出力制御部２３５は、テキストデータを音声データに変換して、スピーカ２４０から音声出力させる。
【００７０】
（個人通知情報）
カードリーダ２００は、事業者とは関係のない情報を、音声によって利用者に通知してもよい。例えば、利用者に、サービスカード１００とは別に、利用者固有の個人カードが配られる。個人カードには、利用者の利用者識別子が記録されている。カードリーダ２００は、利用者が個人カードをカードリーダ２００にかざし、個人カードから利用者の利用者識別子を読み取ったタイミングで、個人通知情報を音声によって利用者に通知してもよい。
【００７１】
具体的には、カード読取部２３１は、個人カードから利用者の利用者識別子を読み取る。サービス依頼部２３３は、利用者識別子と機器ＩＤ２２１とを対応付けて管理サーバ３００に送信する。
【００７２】
管理サーバ３００の情報通知部３２７は、利用者識別子を受け取ると、利用者情報（個人情報）を参照する。情報通知部３２７は、利用者が在住する地域、または予め登録された情報に基づいて、利用者に通知する個人通知情報を決定する。個人通知情報には、例えば、利用者が在住する地域の天気、該地域のニュース、利用者が服薬すべき時刻、または、現在の時刻等が含まれ得る。利用者が薬を服薬すべき時刻を、予め利用者情報として登録しておいてもよい。情報通知部３２７は、地域の天気、および該地域のニュース等を、事業者サーバ４００ではない別のサーバから取得してもよい。情報通知部３２７は、利用者に通知する個人通知情報を、カードリーダ２００に送信する。
【００７３】
カードリーダ２００の出力制御部２３５は、管理サーバ３００から個人通知情報を受信する。出力制御部２３５は、個人通知情報をスピーカ２４０から音声出力させる。なお、個人通知情報は、音声データであっても、テキストデータであってもよい。
【００７４】
または、カードリーダ２００は、所定の時刻に、個人通知情報を音声によって利用者に通知してもよい。
【００７５】
具体的には、個人通知情報を通知するべき時刻（所定の時刻）が、予め管理サーバ３００の記憶部３１０に利用者情報として記憶されている。情報通知部３２７は、所定の時刻になると、個人通知情報をカードリーダ２００に送信する。カードリーダ２００の出力制御部２３５は、個人通知情報をスピーカ２４０から音声出力させる。
【００７６】
なお、最初にカードリーダ２００に個人カードの利用者識別子を読み取らせることにより、管理サーバ３００によるサービスを開始してもよい。カードリーダ２００は、読み取った利用者識別子を機器ＩＤ２２１と対応付けて管理サーバ３００に送信する。管理サーバ３００は、予め記憶されている利用者情報３１１を参照し、利用者識別子と機器ＩＤ２２１との対応付けが正しいか確認する。対応付けが正しければ、管理サーバ３００は、サービス提供システム１のサービスを開始する。
【００７７】
〔ソフトウェアによる実現例〕
カードリーダ２００、管理サーバ３００、および事業者サーバ４００の制御ブロック（特に依頼内容解析部３２１および依頼内容転送部３２３）は、集積回路（ＩＣチップ）等に形成された論理回路（ハードウェア）によって実現してもよいし、ソフトウェアによって実現してもよい。
【００７８】
後者の場合、カードリーダ２００、管理サーバ３００、および事業者サーバ４００は、各機能を実現するソフトウェアであるプログラムの命令を実行するコンピュータを備えている。このコンピュータは、例えば１つ以上のプロセッサを備えていると共に、前記プログラムを記憶したコンピュータ読み取り可能な記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００７９】
〔まとめ〕
本発明の態様１に係るサービス提供システム（１）は、利用者に、複数のサービス事業者のサービスを提供するサービス提供システムであって、前記利用者に配られるカードリーダ（２００）であって、利用者が有する複数のサービスカード（１００）から、該サービスカードのサービス識別子（カードＩＤ１１０）を読み取るカードリーダと、管理サーバ（３００）と、を含み、前記管理サーバは、前記カードリーダから、読み取られた前記サービス識別子と前記カードリーダのリーダ識別子（機器ＩＤ２２１）とを受信する受信部（依頼内容解析部３２１）と、複数の前記利用者の連絡先と、複数の前記利用者に配られた複数の前記カードリーダのリーダ識別子とを対応付けて記憶し、かつ、複数の前記サービス識別子と、前記複数のサービス事業者とを対応付けて記憶している記憶部（３１０）と、前記カードリーダから受信した前記リーダ識別子に対応する前記利用者の連絡先を、前記カードリーダから受信した前記サービス識別子に対応する前記サービス事業者の事業者サーバ（４００）に送信する送信部とを備える構成である。
【００８０】
前記の構成によれば、利用者が複数のサービスカードから選択した特定のサービスカードのサービス識別子をカードリーダに読み取らせると、該サービス識別子に対応するサービス事業者の事業者サーバに該利用者の連絡先が送信される。これにより、利用者は特定のサービスカードのサービス識別子に対応するサービス事業者から連絡を受け、該サービス事業者からサービスの提供を受けることができる。これにより、例えばパソコンやスマートフォンのような汎用の情報通信端末を用いてサービスの提供を所望するサービス事業者を選択する場合と比較して、選択したサービスカードをカードリーダに読み取らせるだけでサービス事業者からサービスを受けることができる。
【００８１】
また、管理サーバにて利用者およびサービス事業者の連絡先を一元管理しているため、利用者は個々のサービス事業者と個別に契約する必要がない。そのため、例えば新たに入手したサービスカードをカードリーダに読み込ませるだけで、利用者は該サービスカードに対応するサービス事業者から新たにサービスを受けることができる。
【００８２】
そして、サービス事業者はサービス提供システムに参加するには、管理サーバに連絡先を登録する必要がある。そのため、例えば管理サーバの運用会社はサービス提供システムに参加するサービス事業者を選定することによって利用者が安心してシステムを利用できる環境を整え、該システムのブランドイメージを向上させることができる。したがって、情報通信端末の操作に不慣れな人であっても、サービス事業者から情報通信端末を用いた場合と同等のサービスの提供を受けることができる、利便性に優れたサービス提供システムを実現することができるという効果を奏する。
【００８３】
本発明の態様２に係るサービス提供システム（１）は、前記態様１において、前記利用者の連絡先は、前記利用者の電話番号を含む構成としてもよい。
【００８４】
前記の構成によれば、利用者はサービスカードのサービス識別子をカードリーダに読み取らせることにより、対応するサービス事業者から電話による連絡およびサービスの提供を受けることができる。
【００８５】
本発明の態様３に係るサービス提供システム（１）は、前記態様２において、前記送信部（依頼内容解析部３２１）は、前記事業者サーバ（４００）に、前記利用者の連絡先に電話を掛けるよう通知する構成としてもよい。
【００８６】
前記の構成によれば、サービス事業者は事業者サーバが管理サーバから受信した通知に基づいて、利用者に電話を掛けることができる。これにより、事業者サーバは自身が利用者の連絡先を保持する必要がないので、該事業者サーバに掛かるコストを抑制することができる。
【００８７】
本発明の態様４に係るサービス提供システムでは、前記態様１から３のいずれかにおいて、前記記憶部は、前記利用者の個人情報を記憶しており、前記管理サーバは、前記事業者サーバから事業者通知情報と通知条件とを受信し、かつ、前記通知条件を満たす前記利用者の前記カードリーダに前記事業者通知情報を送信する情報通知部を備え、前記カードリーダは、前記事業者通知情報を音声出力する構成としてもよい。
【００８８】
本発明の態様５に係るサービス提供システム（１）は、前記態様１から４のいずれかにおいて、前記記憶部（３１０）は、前記複数のサービス事業者と、前記サービス提供システムを用いてサービスを提供する場合に該複数のサービス事業者が支払う金額に関する情報とを対応付けてさらに記憶している構成としてもよい。
【００８９】
前記の構成によれば、サービス事業者がサービス提供システムを用いてサービスを提供する場合、サービス事業者は記憶部に記憶されている情報に基づいて所定の金額を支払う。
【００９０】
本発明の態様６に係るサービス提供システム（１）は、前記態様１から５のいずれかにおいて、前記記憶部（３１０）は、前記サービスカードの前記サービス識別子を読み取った日時、前記事業者サーバ（４００）が前記管理サーバ（３００）から前記利用者に対するサービスの提供依頼を受信した日時、前記サービス事業者がサービスを提供した日時、または、サービスの提供の進捗状況に関する情報をさらに記憶している構成としてもよい。
【００９１】
前記の構成によれば、サービス提供システムによるサービスの提供に関する履歴を管理サーバに蓄積することができる。これにより、例えば利用者ごとの傾向等を分析し、サービス提供システムの運用に活用することができる。
【００９２】
本発明の態様７に係るサービス提供システムでは、前記態様１から６のいずれかにおいて、前記カードリーダは、前記利用者固有の個人カードから利用者識別子を読み取ったタイミングでまたは所定の時刻に、前記管理サーバから受信した個人通知情報を音声出力する構成としてもよい。
【００９３】
本発明は前述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９４】
１  サービス提供システム
１００  サービスカード
１１０  カードＩＤ（サービス識別子）
２００  カードリーダ
２１０  操作ボタン
２２０  記憶部
２２１  機器ＩＤ（リーダ識別子）
２３０  制御部
２３１  カード読取部
２３３  サービス依頼部
２３５  出力制御部
３００  管理サーバ
３１０  記憶部
３１１  利用者情報
３１３  サービス事業者情報
３１５  サービス履歴情報
３２０  制御部
３２１  依頼内容解析部（受信部）
３２３  依頼内容転送部（送信部）
３２５  履歴登録部
３２７  情報通知部
４００  事業者サーバ
４１０  制御部
４１１  依頼提示部
４１３  結果通知部
【図１】
2020123069.tif 000003
【図２】
2020123069.tif 000004
【図３】
2020123069.tif 000005
【図４】
2020123069.tif 000006
【図５】
2020123069.tif 000007